(57)【特許請求の範囲】
【請求項１】
４つの側板部に囲まれた四角筒状の本体部と、前記側板部の両開口端側にそれぞれ延設されたフラップ部とを備え、該フラップ部を前記本体部の内側方向へ折り曲げて前記本体部の両端の開口を前記フラップ部で覆うようにしてある箱体において、
前記側板部を重ね合わせて前記本体部を折り畳んだ場合に重なり合う複数の前記フラップ部の端部に、前記フラップ部の端側から中央側へ設けられた２つの切り込みにより形成される切り込み片を備えること
を特徴とする箱体。
【請求項２】
前記切り込み片は、前記フラップ部の中央側から端側へ拡幅する末広がり形状にしてある請求項１に記載の箱体。
【請求項３】
前記切り込み片には貫通孔が形成してあり、複数の前記切り込み片が重なり合った場合に前記貫通孔が重なるようにしてある請求項１又は請求項２に記載の箱体。
【請求項４】
対向する２つの側板部及び該側板部に設けられたフラップ部に、前記本体部の中心軸に略平行な折り曲げ線が形成してある請求項１乃至請求項３のいずれか１つに記載の箱体。
【請求項５】
前記折り曲げ線が形成された少なくとも１つのフラップ部に、前記折り曲げ線を間にして対称の位置に、前記切り込み片がそれぞれ形成してある請求項４に記載の箱体。
【請求項６】
前記折り曲げ線が形成されたフラップ部と隣り合う２つのフラップ部には、前記本体部を折り畳んだ場合に、前記折り曲げ線が形成されたフラップ部の切り込み片と重なり合う位置に、切り込み片がそれぞれ形成してある請求項５に記載の箱体。
【請求項７】
請求項１又は請求項６に記載の箱体を折り畳む箱体の折り畳み方法であって、
前記フラップ部を前記側板部に同一平面をなすように伸ばし、
前記本体部を一方の対角同士で、前記側板部の内面同士が接触するように折り曲げ、
隣り合う側板部の境界で、前記側板部の外面同士が接触するように前記本体部を折り曲げ、
重なり合った前記フラップ部の前記切り込み片を重ねて折り曲げること
を特徴とする箱体の折り畳み方法。
【請求項８】
請求項４乃至請求項６のいずれか１つに記載の箱体を折り畳む箱体の折り畳み方法であって、
前記本体部の一の開口側に設けられ、前記折り曲げ線が形成された２つのフラップ部を含む３つのフラップ部を、前記側板部の内面に接触するように、前記本体部内に折り曲げ、
前記折り曲げ線が形成された側板部及びフラップ部を、前記折り曲げ線に従って、前記本体部の内側へ折り曲げ、
前記本体部の一の開口側に設けられ、前記本体部内に折り曲げられていないフラップ部を、前記本体部内に折り曲げられた対向するフラップ部に接触するように、前記本体部内に差し込み、
前記本体部の他の開口側で重なり合うフラップ部に形成された前記切り込み片を重ねて折り曲げること
を特徴とする箱体の折り畳み方法。
【請求項９】
請求項４又は請求項６に記載の箱体を折り畳む箱体の折り畳み方法であって、
前記本体部の一の開口側に設けられた４つのフラップ部を、前記側板部の内面に接触するように、前記本体部の内側へ折り曲げ、
前記本体部の他の開口側に設けられ、前記折り曲げ線が形成された２つのフラップ部を、前記側板部の外面に接触するように、前記本体部の外側へ折り曲げ、
前記本体部の他の開口側に設けられ、前記折り曲げ線が形成されていない２つのフラップ部のうちの一方のフラップ部を、前記本体部の内側へ折り曲げ、
前記折り曲げ線が形成された側板部及びフラップ部を、前記折り曲げ線に従って、前記本体部の内側へ折り曲げ、
前記本体部の他の開口側に設けられ、前記折り曲げ線が形成されていない２つのフラップ部のうちの他方のフラップ部を、前記本体部内に折り曲げられた前記一方のフラップ部に接触するように、前記本体部内に差し込み、
前記本体部の他の開口側に設けられ、前記折り曲げ線に従って折り曲げられて重なり合うフラップ部に形成された前記切り込み片を重ねて折り曲げること
を特徴とする箱体の折り畳み方法。
【発明の詳細な説明】
【技術分野】
【０００１】
本発明は、電化製品、書籍又は食品等の被収納物を収納する箱体に関し、また、この箱体の廃棄を行いやすいように折り畳むことができる箱体の折り畳み方法に関する。
【背景技術】
【０００２】
従来から、電化製品を購入した場合、電化製品は例えばダンボール製の箱体に収納された状態で購入したユーザに渡される。これは、ユーザが購入した電化製品を自宅へ持ち帰る場合、又は電化製品を自宅へ郵送する場合等に、電化製品を外部の衝撃から保護すると共に、持ち運びを容易にすることを目的としている。
【０００３】
ユーザは、箱体から電化製品を取り出した後、箱体を廃棄する必要がある。箱体の廃棄を行う場合、箱体を切る又は破る等していくつかの小片に分割し、別の袋に入れた状態、又は箱体を無理やり小さく折り畳み、封止テープ又は紐等を用いて折り畳み状態を保持した後で廃棄を行っている。しかし、箱体を小片に分割する又は小さく折り畳むことは困難で非常に手間のかかる作業であり、箱体が大きくなるほど廃棄の手間が増大するという問題がある。
【０００４】
特許文献１においては、二組の対向側板と、対向側板の下端に連設された底板形成用フラップと、対向側板の上端に形成された上蓋形成用フラップとを備え、一組の対向側板並びにこれに連設された底板形成用フラップ及び上蓋形成用フラップの中央部で１本の連続する折り曲げ線を形成したダンボール製の包装箱が提案されている。この包装箱を折り畳む場合、他組の一方の対向側板に連設された底板形成用フラップ及び上蓋形成用フラップを、連設する対向側板の内面に重なるように折り曲げ、一組の対向側板に連設された底板形成用フラップ及び上蓋形成用フラップを、連設する対向側板の内面又は外面に重なるように折り曲げ、折り曲げ線が形成された対抗側板、底板形成用フラップ及び上蓋形成用フラップを、折り曲げ線で内側に折り曲げ、他組の他方の対向側板に連設された底板形成用フラップ及び上蓋形成用フラップを、他組の一方の対向側板の内側に差し込んで折り畳む。これにより、包装箱を小さく折り畳むことができ、また、折り畳んだ状態を封止テープ又は紐等を用いずに保持することができる。
【０００５】
また、特許文献２においては、上述の特許文献１に記載の包装箱と同様の構成に加えて、対向側板に包装箱の折り畳み方法示す説明部を設け、折り曲げ線の形成された底板形成用フラップに折り曲げ箇所を明示する指標部を設けた包装箱およびその折り畳み方法が提案されている。
【特許文献１】特開２００４−２３１１９２号公報
【特許文献２】特開２００５−２９１７６号公報
【発明の開示】
【発明が解決しようとする課題】
【０００６】
しかしながら、特許文献１及び特許文献２に記載の包装箱は、他組の一方の対向側板に連設された底板形成用フラップ及び上蓋形成用フラップを、連設する対向側板の内面に重なるように折り曲げる必要があるため、対向側板の連設方向の幅が底板形成用フラップ及び上蓋形成用フラップの幅より小さい場合、底板形成用フラップ及び上蓋形成用フラップのいずれか一方のみしか対向側板の内面に重なるように折り曲げることができないため、折り畳むことができないという問題がある。例えば、ビデオデッキ又はＤＶＤプレーヤ等の扁平な直方体状の筐体を有する電化製品の場合、これを包装する包装箱は、対向側板の底板形成用フラップ及び上蓋形成用フラップの連設方向における幅が、底板形成用フラップ及び上蓋形成用フラップの幅より小さいため、特許文献１及び特許文献２に記載の包装箱の構成及び折り畳み方法を適用することができない。
【０００７】
本発明は、斯かる事情に鑑みてなされたものであって、その目的とするところは、４つの側板部に囲まれた本体部及び側板部の両開口端に延設されたフラップ部とを備え、本体部を折り畳んだ場合に重なり合うフラップ部に切り込み片を形成しておく構成とすることにより、本体部を折り畳んだ後で、重なり合うフラップ部の切り込み片を重ねて折り曲げて、折り畳み状態を保持することができる箱体を提供することにある。
【０００８】
また本発明の他の目的とするところは、切り込み片を末広がり形状とすることにより、切り込み片を重ねて折り曲げた場合に、折り畳み状態を確実に保持することができる箱体を提供することにある。
【０００９】
また本発明の他の目的とするところは、切り込み片に貫通孔を形成しておく構成とすることにより、本体部を折り畳んだ後に、切り込み片を重ねて折り曲げた場合、ユーザが切り込み片の貫通孔を利用して持ち運ぶことができる箱体を提供することにある。
【００１０】
また本発明の他の目的とするところは、対向する２つの側板部及び側板部に設けられたフラップ部に、本体部の中心軸に略平行な折り曲げ線を形成する構成とすることにより、側板部及びフラップ部を折り曲げ線に従って本体部の内側へ折り曲げて、小さく折り畳むことができる箱体を提供することにある。
【００１１】
また本発明の他の目的とするところは、折り曲げ線が形成されたフラップ部に、折り曲げ線を間にして対称の位置に切り込み片をそれぞれ形成する構成とすることにより、折り曲げ線に従ってフラップ部を折り曲げた後、切り込み片を重ねて折り曲げて、折り畳み状態を保持することができる箱体を提供することにある。
【００１２】
また本発明の他の目的とするところは、折り曲げ線が形成されたフラップ部と隣り合うフラップ部に切り込み片を形成する構成とすることにより、折り曲げ線に従ってフラップ部を本体部の内側へ折り曲げた場合に重なり合うフラップ部の切り込み片を重ねて折り曲げて、折り畳み状態を保持することができる箱体を提供することにある。
【００１３】
また本発明の他の目的とするところは、フラップ部を側板部と同一平面となるように伸ばし、本体部を一方の対角同士で折り曲げ、更に側板部の外面同士が接触するように隣り合う側板部の境界で本体部を折り曲げた場合に重なり合うフラップ部の切り込み片を重ねて折り曲げることにより、箱体を小さく折り畳むことができ、折り畳んだ状態を保持することができる箱体の折り畳み方法を提供することにある。
【００１４】
また本発明の他の目的とするところは、本体部の一開口側の折り曲げ線が形成された２つのフラップ部を含む３つのフラップ部を本体部内に折り曲げ、折り曲げ線が形成された側板部及びフラップ部を折り曲げ線に従って本体部の内側へ折り曲げ、一開口側の残りのフラップ部を本体部に差し込み、他の開口側で重なり合うフラップ部の切り込み片を重ねて折り曲げることにより、箱体を小さく折り畳むことができ、折り畳んだ状態を保持することができる箱体の折り畳み方法を提供することにある。
【００１５】
また本発明の他の目的とするところは、一開口側の４つのフラップ部を本体部内に折り曲げ、他の開口側の折り曲げ線が形成されたフラップ部を本体部の外側へ折り曲げ、他の開口側の残りのフラップ部の一つを本体部内へ折り曲げ、折り曲げ線が形成された側板部及びフラップ部を折り曲げ線に従って本体部の内側へ折り曲げ、他の開口側の残りのフラップ部を本体部内に差し込み、折り曲げ線に従って折り曲げたフラップ部に形成された切りこみ片を重ねて折り曲げることにより、箱体を小さく折り畳むことができ、折り畳んだ状態を保持することができる箱体の折り畳み方法を提供することにある。
【課題を解決するための手段】
【００１６】
本発明に係る箱体は、４つの側板部に囲まれた四角筒状の本体部と、前記側板部の両開口端側にそれぞれ延設されたフラップ部とを備え、該フラップ部を前記本体部の内側方向へ折り曲げて前記本体部の両端の開口を前記フラップ部で覆うようにしてある箱体において、前記側板部を重ね合わせて前記本体部を折り畳んだ場合に重なり合う複数の前記フラップ部の端部に、前記フラップ部の端側から中央側へ設けられた２つの切り込みにより形成される切り込み片を備えることを特徴とする。
【００１７】
本発明においては、箱体の本体部を折り畳んだ場合に重なり合うフラップ部にそれぞれ切り込み片を形成しておき、箱体を廃棄のために折り畳んだ後、重なり合う切り込み片を折り曲げる。折り曲げられた切り込み片により、複数のフラップ部が重なり合った状態のまま保持され、箱体の本体部の折り畳みが保持される。
【００１８】
また、本発明に係る箱体は、前記切り込み片が、前記フラップ部の中央側から端側へ拡幅する末広がり形状にしてあることを特徴とする。
【００１９】
本発明においては、フラップ部の端部分へ向けて末広がり形状の切り込み片を形成する。切り込み片が末広がり形状のため、複数の切り込み片を重ねて折り曲げた後、フラップ部の切り込み片の周囲部分と切り込み片とが引っ掛かり、切り込み片の折り曲げが戻りにくい。
【００２０】
また、本発明に係る箱体は、前記切り込み片には貫通孔が形成してあり、複数の前記切り込み片が重なり合った場合に前記貫通孔が重なるようにしてあることを特徴とする。
【００２１】
本発明においては、切り込み片に貫通孔を形成しておく。箱体の本体部を折り畳んでフラップ部が重なり、重なった切り込み片を折り曲げた後、複数の切り込み片の貫通孔が重なるため、ユーザが貫通孔に手を入れて折り畳んだ箱体を持ち運ぶことができる。
【００２２】
また、本発明に係る箱体は、対向する２つの側板部及び該側板部に設けられたフラップ部に、前記本体部の中心軸に略平行な折り曲げ線が形成してあることを特徴とする。
【００２３】
本発明においては、対向する２つの側板部及びフラップ部に、本体部の中心軸に略平行な折り曲げ線を形成する。箱体を折り畳む場合に、側板部及びフラップ部を折り曲げ線に従って箱体の内側へ簡単に折り曲げることができる。
【００２４】
また、本発明に係る箱体は、前記折り曲げ線が形成された少なくとも１つのフラップ部に、前記折り曲げ線を間にして対称の位置に、前記切り込み片がそれぞれ形成してあることを特徴とする。
【００２５】
本発明においては、折り曲げ線が形成されたフラップ部に、折り曲げ線を間にして対称の位置に切り込み片をそれぞれ形成する。折り曲げ線に従ってフラップ部を折り曲げた場合、対称の位置に設けられた切り込み片が重なり、切り込み片を簡単に重ねて折り曲げることができる。
【００２６】
また、本発明に係る箱体は、前記折り曲げ線が形成されたフラップ部と隣り合う２つのフラップ部には、前記本体部を折り畳んだ場合に、前記折り曲げ線が形成されたフラップ部の切り込み片と重なり合う位置に、切り込み片がそれぞれ形成してあることを特徴とする。
【００２７】
本発明においては、箱体を折り畳んだ場合に、折り曲げ線が形成されたフラップ部の切り込み片と重なるように、隣り合うフラップ部に切り込み片を形成する。折り曲げ線に従ってフラップ部を折り曲げた場合、折り曲げ線を間に対象の位置に形成された２つの切り込み片と、折り曲げたフラップ部に隣り合う２つのフラップ部にそれぞれ設けられた切り込み片とが重なり、４つの切り込み片を重ねて折り曲げることができる。
【００２８】
また、本発明に係る箱体の折り畳み方法は、上述のいずれか１つの箱体を折り畳む箱体の折り畳み方法であって、前記フラップ部を前記側板部に同一平面をなすように伸ばし、前記本体部を一方の対角同士で、前記側板部の内面同士が接触するように折り曲げ、隣り合う側板部の境界で、前記側板部の外面同士が接触するように前記本体部を折り曲げ、重なり合った前記フラップ部の前記切り込み片を重ねて折り曲げることを特徴とする。
【００２９】
本発明においては、フラップ部を側板部と同一平面となるように伸ばし、本体部を一方の対角同士で折り曲げる。次いで、２つの隣り合う側板部の外面が接触するように、隣り合う側板部の境界で本体部を折り曲げる。これにより、箱体が１つの側板部及び２つのフラップ部の分の面積程度に小さくなる。更に、重なり合うフラップ部の切り込み片を重ねて折り曲げ、箱体の折り畳み状態を保持させることができる。
【００３０】
また、本発明に係る箱体の折り畳み方法は、上述のいずれか１つの箱体を折り畳む箱体の折り畳み方法であって、前記本体部の一の開口側に設けられ、前記折り曲げ線が形成された２つのフラップ部を含む３つのフラップ部を、前記側板部の内面に接触するように、前記本体部内に折り曲げ、前記折り曲げ線が形成された側板部及びフラップ部を、前記折り曲げ線に従って、前記本体部の内側へ折り曲げ、前記本体部の一の開口側に設けられ、前記本体部内に折り曲げられていないフラップ部を、前記本体部内に折り曲げられた対向するフラップ部に接触するように、前記本体部内に差し込み、前記本体部の他の開口側で重なり合うフラップ部に形成された前記切り込み片を重ねて折り曲げることを特徴とする。
【００３１】
本発明においては、一開口側の折り曲げ線が形成された２つのフラップ部を含む３つのフラップ部を本体部内に折り曲げる。次いで、折り曲げ線が形成された側板部及びフラップ部を折り曲げ線に従って本体部の内側へ折り曲げ、一開口側の残りのフラップ部を本体部へ差し込む。これにより、箱体が１つの側板部及び１つのフラップ部の分の面積程度に小さくなる。更に他開口側のフラップ部に形成された切りこみ片を重ねて折り曲げ、箱体の折り畳み状態を保持させることができる。
【００３２】
また、本発明に係る箱体の折り畳み方法は、上述のいずれか１つの箱体を折り畳む箱体の折り畳み方法であって、前記本体部の一の開口側に設けられた４つのフラップ部を、前記側板部の内面に接触するように、前記本体部の内側へ折り曲げ、前記本体部の他の開口側に設けられ、前記折り曲げ線が形成された２つのフラップ部を、前記側板部の外面に接触するように、前記本体部の外側へ折り曲げ、前記本体部の他の開口側に設けられ、前記折り曲げ線が形成されていない２つのフラップ部のうちの一方のフラップ部を、前記本体部の内側へ折り曲げ、前記折り曲げ線が形成された側板部及びフラップ部を、前記折り曲げ線に従って、前記本体部の内側へ折り曲げ、前記本体部の他の開口側に設けられ、前記折り曲げ線が形成されていない２つのフラップ部のうちの他方のフラップ部を、前記本体部内に折り曲げられた前記一方のフラップ部に接触するように、前記本体部内に差し込み、前記本体部の他の開口側に設けられ、前記折り曲げ線に従って折り曲げられて重なり合うフラップ部に形成された前記切り込み片を重ねて折り曲げることを特徴とする。
【００３３】
本発明においては、一開口側の４つのフラップ部を本体部内に折り曲げ、他の開口側の折り曲げ線が形成された２つのフラップ部を本体部の外側へ折り曲げ、他の開口側の残りのフラップ部の一つを本体部内へ折り曲げる。次いで、折り曲げ線が形成された側板部及びフラップ部を折り曲げ線に従って本体部の内側へ折り曲げ、他の開口側の残りのフラップ部を本体部内に差し込む。これにより、箱体が１つの側板部又は１つのフラップ部のうちの大きい方の面積程度に小さくなる。更に、折り曲げ線に従って折り曲げたフラップ部に形成された切りこみ片を重ねて折り曲げ、箱体の折り畳み状態を保持させることができる。
【発明の効果】
【００３４】
本発明による場合は、箱体の本体部を折り畳んだ場合に重なり合うフラップ部にそれぞれ切り込み片を形成しておく構成とすることにより、箱体を廃棄のために折り畳んだ後、重なり合う切り込み片を折り曲げて、箱体の折り畳み状態を保持することができるため、折り畳み状態の保持に封止テープ又は紐等を用いる必要がなく、箱体を簡単に小さく折り畳んで廃棄することができる。
【００３５】
また、本発明による場合は、フラップ部の端部分に末広がり形状の切り込み片を形成する構成とすることにより、複数の切り込み片を重ねて折り曲げた後、切り込み片の折り曲げ状態が元に戻りにくく、箱体の折り畳み状態を確実に保持することができるため、ユーザはより簡単に折り畳んだ箱体の廃棄を行うことができる。
【００３６】
また、本発明による場合は、切り込み片に貫通孔を形成しておく構成とすることにより、箱体を折り畳んで重なり合った切り込み片を折り曲げた場合、重なり合う切り込み片の貫通孔が連通し、ユーザが貫通孔に手を入れて折り畳んだ箱体を持ち運ぶことができるため、より簡単に折り畳んだ箱体の廃棄を行うことができる。
【００３７】
また、本発明による場合は、対向する２つの側板部及び側板部に設けられたフラップ部に、本体部の中心軸に略平行な折り曲げ線を形成する構成とすることにより、箱体を折り畳む場合に、側板部及びフラップ部を折り曲げ線に従って箱体の内側へ簡単に折り曲げることができ、また、箱体を小さく折り畳むことができるため、ユーザが箱体の折り畳みを行いやすく、また、廃棄を行いやすい。
【００３８】
また、本発明による場合は、折り曲げ線が形成されたフラップ部に、折り曲げ線を間にして対称の位置に切り込み片をそれぞれ形成する構成とすることにより、折り曲げ線に従ってフラップ部を折り曲げた場合、対称の位置に設けられた切り込み片が重なり、切り込み片を簡単に重ねて折り曲げることができるため、封止テープ又は紐等を用いることなく箱体の折り畳み状態を保持することができ、ユーザが箱体の折り畳み及び廃棄を簡単に行うことができる。
【００３９】
また、本発明による場合は、箱体を折り畳んだ場合に、折り曲げ線が形成されたフラップ部の切り込み片と重なるように、隣り合うフラップ部に切り込み片を形成する構成とすることにより、折り曲げ線に従ってフラップ部を折り曲げた場合、折り曲げ線を間に対象の位置に形成された２つの切り込み片と、折り曲げたフラップ部に隣り合う２つのフラップ部にそれぞれ設けられた切り込み片とが重なり、４つの切り込み片を重ねて折り曲げることができるため、封止テープ又は紐等を用いることなく箱体の折り畳み状態を保持することができ、ユーザが箱体の折り畳み及び廃棄を簡単に行うことができる。
【００４０】
また、本発明による場合は、フラップ部を側板部と同一平面となるように伸ばし、本体部を一方の対角同士で折り曲げ、更に側板部の外面同士が接触するように隣り合う側板部の境界で本体部を折り曲げ、重なり合うフラップ部の切り込み片を重ねて折り曲げることにより、箱体を小さく折り畳んだ状態で保持することができるため、箱体の廃棄を行いやすくすることができる。
【００４１】
また、本発明による場合は、本体部の一開口側の折り曲げ線が形成された２つのフラップ部を含む３つのフラップ部を本体部内に折り曲げ、折り曲げ線が形成された側板部及びフラップ部を折り曲げ線に従って本体部の内側へ折り曲げ、一開口側の残りのフラップ部を本体部に差し込み、他の開口側で重なり合うフラップ部の切り込み片を重ねて折り曲げることにより、本体部の軸心方向に関する側板部の幅がフラップ部の幅より小さい場合であっても、箱体を折り畳んで小さくすることができ、また、小さく折り畳んだ状態を保持することができるため、箱体の廃棄を行いやすくすることができる。
【００４２】
また、本発明による場合は、一開口側の４つのフラップ部を本体部内に折り曲げ、他の開口側の折り曲げ線が形成されたフラップ部を本体部の外側へ折り曲げ、他の開口側の残りのフラップ部の一つを本体部内へ折り曲げ、折り曲げ線が形成された側板部及びフラップ部を折り曲げ線に従って本体部の内側へ折り曲げ、他の開口側の残りのフラップ部を本体部内に差し込み、折り曲げ線に従って折り曲げたフラップ部に形成された切りこみ片を重ねて折り曲げることにより、本体部の軸心方向に関する側板部の幅がフラップ部の幅より小さい場合であっても、箱体を折り畳んで小さくすることができ、また、小さく折り畳んだ状態を保持することができるため、箱体の廃棄を行いやすくすることができる。
【発明を実施するための最良の形態】
【００４３】
（実施の形態１）
以下、本発明をその実施の形態を示す図面に基づき具体的に説明する。図１は、本発明に係る箱体の構成を示す斜視図であり、（ａ）は箱体の上蓋を閉じた状態を示し、（ｂ）は箱体の上蓋を開いた状態を示す。図示の箱体は、扁平な略直方体をなすダンボール製の箱体であり、例えばビデオデッキ又はＤＶＤプレーヤ等の被収納物を収納するために用いることができる。図において１は四角筒状をなす本体部であり、４つの略長方形の側板部２ａ、２ｂ、２ｃ、２ｄにより構成される。なお、側板部２ａ及び２ｃが対向し、側板部２ｂ及び２ｄが対向する。また、側板部２ｂ及び２ｄは側板部２ａ及び２ｃより面積が小さい。
【００４４】
本体部１を構成する側板部２ａ、２ｂ、２ｃ、２ｄの一開口端側にはそれぞれ下側フラップ部４ａ、４ｂ、４ｃ、４ｄが延設され、他開口端側にはそれぞれ上側フラップ部３ａ、３ｂ、３ｃ、３ｄが延設されている。下側フラップ部４ｂ及び４ｄを本体部１の内側方向へ折り曲げ、次いで下側フラップ部４ａ及び４ｃを本体部１の内側方向へ折り曲げて本体部１の一側の開口を閉じ、対向する下側フラップ部４ａ及び４ｃの縁部分を封止テープ１２で固定することにより、下側フラップ部４ａ、４ｂ、４ｃ、４ｄを本体部１の一側の開口を封止する底蓋として利用することができる。同様に、一側の開口を封止して本体部１内に被収納物を収納した後、上側フラップ部３ｂ及び３ｄを本体部１の内側方向へ折り曲げ、次いで上側フラップ部３ａ及び３ｃを本体部１の内側方向へ折り曲げて本体部１の他側の開口を閉じ、対向する上側フラップ部３ａ及び３ｃの縁部分を封止テープ１１で固定することにより、上側フラップ部３ａ、３ｂ、３ｃ、３ｄを本体部１の他側の開口を封止する上蓋として利用することができる。
【００４５】
また、上側フラップ部３ａ、３ｂ、３ｃ、３ｄには、縁部分にそれぞれ切り込み片５ａ、５ｂ、５ｃ、５ｄが形成されている。切り込み片５ａ、５ｂ、５ｃ、５ｄについては後述する。
【００４６】
図２は、本発明の実施の形態１に係る箱体の構成を示す展開図である。箱体はダンボール板を切断して図２に示す形状に形成し、更に図２中の破線で示す折り曲げ線を形成したものである。この折り曲げ線に従ってダンボールを折り曲げ、一部を接着剤又は金具等を用いて接続することで、図１に示す箱体として利用することができる。
【００４７】
箱体を展開した場合、本体部１は略長方形であり、本体部１の短辺と略平行に形成された３つの折り曲げ線２１ｂ、２１ｃ、２１ｄにより、側板部２ａ、２ｂ、２ｃ、２ｄをなす４つの面に分けられている。なお、折り曲げ線２１ｂは側板部２ａ及び２ｂの境界をなし、折り曲げ線２１ｃは側板部２ｂ及び２ｃの境界をなし、折り曲げ線２１ｄは側板部２ｃ及び２ｄの境界をなす。また、側板部２ａ、２ｂ、２ｃ、２ｄは、折り曲げ線２１ｂ、２１ｃ、２１ｄ側が短辺側の略長方形であり、側板部２ａ及び２ｃの長辺の長さは、側板部２ｂ及び２ｄの長辺の長さより長い。
【００４８】
本体部１の側板部２ａ側の短辺には、略台形の接続片６が延設されており、側板部２ａ及び接続片６の境界に折り曲げ線２１ａが形成されている。折り曲げ線２１ａは、折り曲げ線２１ｂ、２１ｃ、２１ｄと略平行である。折り曲げ線２１ａ、２１ｂ、２１ｃ、２１ｄにて本体部１を同方向へ折り曲げ、接続片６を本体部１の側板部２ｄ側の短辺部分に接着剤又は金具等を用いて接続することにより、本体部１が四角筒状をなす。
【００４９】
側板部２ａ、２ｂ、２ｃ、２ｄの両長辺には、それぞれ上側フラップ部３ａ、３ｂ、３ｃ、３ｄ及び下側フラップ部４ａ、４ｂ、４ｃ、４ｄが延設されており、境界に折り曲げ線２２ａ、２２ｂ、２２ｃ、２２ｄ及び折り曲げ線２３ａ、２３ｂ、２３ｃ、２３ｄがそれぞれ形成されている。上側フラップ部３ａ、３ｂ、３ｃ、３ｄは、折り曲げ線２２ａ、２２ｂ、２２ｃ、２２ｄ側が長辺側の略長方形であり、下側フラップ部４ａ、４ｂ、４ｃ、４ｄは、折り曲げ線２３ａ、２３ｂ、２３ｃ、２３ｄ側が長辺側の略長方形である。また、上側フラップ部３ａ、３ｂ、３ｃ、３ｄ及び下側フラップ部４ａ、４ｂ、４ｃ、４ｄの短辺の長さは略等しく、小さい方の側板部２ｂ及び２ｄの長辺の長さの略半分程度である。
【００５０】
また、上側フラップ部３ａ、３ｂ、３ｃ、３ｄの長辺側の縁部分には、切り込み片５ａ、５ｂ、５ｃ、５ｄがそれぞれ形成されている。切り込み片５ａ、５ｂ、５ｃ、５ｄは、上側フラップ部３ａ、３ｂ、３ｃ、３ｄの中央側から長辺側の縁部分へ向けて間隔が広がる末広がり、即ち略八字型となるように２つの切り込みを入れることで形成される台形状である。なお、側板部３ｂには、長辺方向の略中央に切り込み片５ｂが形成されている。上側フラップ部３ａには、上側フラップ部３ｂ側の短辺からの距離が、上側フラップ部３ｂの切り込み片５ｂ及び上側フラップ部３ｂの上側フラップ部３ａ側の短辺の間の距離と略等しくなる位置に、切り込み片５ａが形成されている。同様に、上側フラップ部３ｃには、上側フラップ部３ｂ側の短辺からの距離が、上側フラップ部３ｂの切り込み片５ｂ及び上側フラップ部３ｂの上側フラップ部３ｃ側の短辺の間の距離と略等しくなる位置に、切り込み片５ｃが形成されている。また、上側フラップ部３ｄには、上側フラップ部３ｃ側の短辺からの距離が、上側フラップ部３ｃの切り込み片５ｃ及び上側フラップ部３ｃの上側フラップ部３ｄ側の短辺の間の距離と略等しくなる位置に、切り込み片５ｄが形成されている。
【００５１】
図３及び図４は、本発明の実施の形態１に係る箱体の折り畳み方法を示す斜視図であり、（ａ）から（ｄ）へ折り畳み方法を時系列で図示してある。箱体を例えば廃棄のために折り畳む場合、まず、箱体の上下を封止する封止テープ１１及び１２を外す。次いで、側板部２ａ、２ｂ、２ｃ、２ｄとそれぞれ同一平面をなすように、延設された上側フラップ部３ａ、３ｂ、３ｃ、３ｄ及び下側フラップ部４ａ、４ｂ、４ｃ、４ｄを伸ばす（図３（ａ）参照）。
【００５２】
次いで、側板部２ｂ及び２ｃ、並びに側板部２ｄ及び２ａが同一平面をなすように、側板部２ｂ及び２ｃの境界（折り曲げ線２１ｃ）、並びに側板部２ｄ及び２ａの境界（折り曲げ線２１ａ）にて本体部１を伸ばし、側板部２ａ及び２ｂの境界（折り曲げ線２１ｂ）、並びに側板部２ｃ及び２ｄの境界（折り曲げ線２１ｄ）にて本体部１を更に折り曲げて、側板部２ｂ及び２ｃと側板部２ｄ及び２ａとの内面が接触するように、本体部１を折り畳む。これにより、箱体は２枚のダンボール板が重なった略長方形の板状となる。このとき側板部２ｂ及び２ｃを上側にしておく（図３（ｂ）参照）。
【００５３】
次いで、側板部２ｂ及び２ｃの外面同士が接触するように、側板部２ｂ及び２ｃの境界（折り曲げ線２１ｃ）にて、本体部１を折り曲げる。このとき、側板部２ｂ、上側フラップ部３ｂ及び下側フラップ部４ｂと重なる側板部２ａ、上側フラップ部３ａ及び下側フラップ部４ａは、折り曲げ線２１ｃに合わせて強制的に折り曲げる（図４（ｃ）参照）。
【００５４】
（ａ）〜（ｃ）の手順で箱体を折り畳むことにより、上側フラップ部３ａ、３ｂ、３ｃ、３ｄにそれぞれ形成された切り込み片５ａ、５ｂ、５ｃ、５ｄがすべて上下に重なり合ので、重なり合った４つの切り込み片５ａ、５ｂ、５ｃ、５ｄを、重ねた状態のまま上側へ略直角に折り曲げる（図４（ｄ）参照）。これにより、４つの上側フラップ部３ａ、３ｂ、３ｃ、３ｄが係止されるため、（ｃ）にて行った折り曲げ線２１ｃでの折り曲げが元の状態に戻ることを防止することができる。
【００５５】
以上の構成の箱体においては、図３及び図４に示す手順で折り畳みを行うことにより、側板部２ｃ、上側フラップ部３ｃ及び下側フラップ部４ｃの合計程度の面積を有する略板状に箱体を折り畳むことができるため、ユーザが箱体の廃棄を行いやすいという利点がある。また、折り畳み後に４つの切り込み片５ａ、５ｂ、５ｃ、５ｄが重なり合うため、これを重ねて折り曲げることで箱体の折り畳み状態を保持することができ、より箱体の廃棄を行いやすい。
【００５６】
なお、本実施の形態においては、箱体をダンボール製としたが、これに限るものではなく、他の材料を用いた箱体であってもよい。また、組み立て後の箱体の形状を扁平な直方体としたが、これに限るものではなく、例えば上下方向に長い直方体であってもよく、立方体であってもよい。また、上側フラップ部３ａ、３ｂ、３ｃ、３ｄに切り込み片５ａ、５ｂ、５ｃ、５ｄをそれぞれ１つずつ形成する構成を示したが、これに限るものではなく、複数の切り込み片を設ける構成であってもよい。また、下側フラップ部４ａ、４ｂ、４ｃ、４ｄに同様の切り込み片を形成する構成であってもよく、この場合は、より強固に箱体の折り畳み状態を保持することができる。また、上側フラップ部３ａ、３ｂ、３ｃ、３ｄに略八字型の切り込みを入れることで切り込み片５ａ、５ｂ、５ｃ、５ｄを形成する構成を示したが、これに限るものではなく、逆八字型に切り込みを入れてもよく、２つの切り込みを平行に入れてもよい。また、略八字型の切り込みを予め形成しておくのではなく、略八字型のミシン目状の破断線を形成しておき、ユーザが箱体の廃棄時に破断線に沿って切り込みを入れて切り込み片を形成する構成であってもよい。
【００５７】
（変形例）
図５は、本発明の実施の形態１の変形例に係る箱体の構成を示す展開図である。本変形例に係る箱体は、上側フラップ部３ａ、３ｂ、３ｃ、３ｄに設けられた略台形の切り込み片５ａ、５ｂ、５ｃ、５ｄの中央に、それぞれ長円形の貫通孔７が形成されている。これにより、図３及び図４に示す折り畳み方で箱体を折り畳み、４つの切り込み片５ａ、５ｂ、５ｃ、５ｄが重なり合った場合に、それぞれに形成された貫通孔７が重なり合って４つの切り込み片５ａ、５ｂ、５ｃ、５ｄを連通するため、ユーザは箱体を廃棄する場合に貫通孔７に手を通して折り畳んだ箱体を持ち運ぶことができ、廃棄が行いやすい。
【００５８】
（実施の形態２）
図６は、本発明の実施の形態２に係る箱体の構成を示す展開図である。実施の形態２に係る箱体の形状は、実施の形態１に係る箱体の形状とほぼ同じであり、実施の形態２に係る箱体の本体部５１は、箱体を展開した状態で略長方形をなす。本体部５１は、本体部５１の短辺と略平行に形成された３つの折り曲げ線２１ｂ、２１ｃ、２１ｄにより、側板部５２ａ、５２ｂ、５２ｃ、５２ｄをなす４つの面に分けられている。側板部５２ａ、５２ｂ、５２ｃ、５２ｄは、折り曲げ線２１ｂ、２１ｃ、２１ｄ側が短辺側の略長方形であり、側板部５２ａ及び５２ｃの長辺の長さは、側板部５２ｂ及び５２ｄの長辺の長さより長い。また、本体部５１の側板部５２ａ側の短辺には、略台形の接続片６が延設されており、側板部５２ａ及び接続片６の境界に折り曲げ線２１ａが形成されている。折り曲げ線２１ａ、２１ｂ、２１ｃ、２１ｄにて本体部５１を同方向へ折り曲げ、接続片６を本体部５１の側板部５２ｄ側の短辺部分に接着剤又は金具等を用いて接続することにより、本体部５１が四角筒状をなす。
【００５９】
側板部５２ａ、５２ｂ、５２ｃ、５２ｄの両長辺には、それぞれ上側フラップ部５３ａ、５３ｂ、５３ｃ、５３ｄ及び下側フラップ部５４ａ、５４ｂ、５４ｃ、５４ｄが延設されており、境界に折り曲げ線２２ａ、２２ｂ、２２ｃ、２２ｄ及び折り曲げ線２３ａ、２３ｂ、２３ｃ、２３ｄがそれぞれ形成されている。上側フラップ部５３ａ、５３ｂ、５３ｃ、５３ｄは、折り曲げ線２２ａ、２２ｂ、２２ｃ、２２ｄ側が長辺側の略長方形であり、下側フラップ部５４ａ、５４ｂ、５４ｃ、５４ｄは、折り曲げ線２３ａ、２３ｂ、２３ｃ、２３ｄ側が長辺側の略長方形である。また、上側フラップ部５３ｂ及び５３ｄは、短辺方向の略中央から外側へ幅が狭くなるようにしてある。
【００６０】
側板部５２ａ、上側フラップ部５３ａ及び下側フラップ部５４ａの長辺方向の略中央には、本体部５１の短辺方向、即ち箱体を組み立てた後、四角筒状をなす本体部５１の軸心方向と略平行に折り曲げ線７１が形成されている。同様に、側板部５２ｃ、上側フラップ部５３ｃ及び下側フラップ部５４ｃの長辺方向の略中央には、本体部５１の短辺方向と略平行に折り曲げ線７２が形成されている。
【００６１】
また、下側フラップ部５４ｃの縁部分には、折り曲げ線７２を間にして対称の位置に、切り込み片６２及び６３が形成されている。切り込み片６２、６３は、下側フラップ部５４ｃの中央側から長辺側の縁部分へ向けて間隔が広がる末広がりとなるように２つの切込みを入れることで形成される台形状である。また、下側フラップ部５４ｂの縁部分には、長辺方向の中央より下側フラップ部５４ｃに近い位置に切り込み片６１が形成されており、下側フラップ部５４ｄの縁部分には、長辺方向の中央より下側フラップ部５４ｃに近い位置に切り込み片６４が形成されている。切り込み片６１、６４の形状は、切り込み片６２、６３の形状と略同一である。
【００６２】
図７乃至図９は、本発明の実施の形態２に係る箱体の折り畳み方法を示す斜視図であり、（ａ）から（ｆ）へ折り畳み方法を時系列で図示してある。箱体を例えば廃棄のために折り畳む場合、まず、箱体の上下を封止する封止テープを外す。次いで、上側フラップ部５３ａ、５３ｂ、５３ｃ、５３ｄ及び下側フラップ部５４ａ、５４ｂ、５４ｃ、５４ｄを、延設された側板部５２ａ、５２ｂ、５２ｃ、５２ｄとそれぞれ同一平面をなすように伸ばす（図７（ａ）参照）。
【００６３】
次いで、３つの上側フラップ部５３ａ、５３ｂ、５３ｃを本体部５１の内側へ、側板部５２ａ、５２ｂ、５２ｃの内面にそれぞれ接触するように、折り曲げ線２２ａ、２２ｂ、２２ｃで折り曲げる（図７（ｂ）参照）。その後、側板部５２ａ、上側フラップ部５３ａ及び下側フラップ部５４ａを折り曲げ線７１に従って本体部５１の内側方向へ折り曲げると共に、側板部５２ｃ、上側フラップ部５３ｃ及び下側フラップ部５４ｃを折り曲げ線７２に従って本体部５１の内側方向へ折り曲げる（図８（ｃ）参照）。側板部５２ａの折り曲げ線７１を間にした両側の外面同士が接触するように、且つ、側板部５２ｃの折り曲げ線７２を間にした外面同士が接触するように、側板部５２ａ、上側フラップ部５３ａ及び下側フラップ部５４ａ、並びに側板部５２ｃ、上側フラップ部５３ｃ及び下側フラップ部５４ｃを更に折り曲げる（図８（ｄ）参照）。この場合、折り曲げられた側板部５２ａの折り曲げ線７１近傍部分と、折り曲げられた側板部５２ｃの折り曲げ線７２近傍部分とが、側板部５２ｂ及び５２ｄの間で若干重なった状態となる。図８（ｄ）においては、側板部５２ａが側板部５２ｂ側となるように重ねた場合を図示してある。
【００６４】
次いで、上側フラップ部５３ｄを、重なり合う側板部５２ｂ及び５２ａの間に挿入する（図９（ｅ）参照）。この状態では、折り曲げ線７２で折り曲げられた下側フラップ部５４ｃを間に挟んで、下側フラップ部５４ｂ及び５４ｄが重なり合い、また同様にして、折り曲げ線７１で折り曲げられた下側フラップ部５４ａを間に挟んで、下側フラップ部５４ｂ及び５４ｄが重なり合っている。（一部では、折り曲げ線７２で折り曲げられた下側フラップ部５４ｃ及び折り曲げ線７１で折り曲げられた下側フラップ部５４ａが重なり合い、これを間に挟んで下側フラップ部５４ｂ及び５４ｄが重なり合う。）このため、下側フラップ部５４ｃの折り曲げ線７２を間に対称の位置に形成された切り込み片６２及び６３を間に挟んで、下側フラップ部５４ｂに形成された切り込み片６１及び下側フラップ部５４ｄに形成された切りこみ片６４が重なり合う。即ち、４つの切り込み片６１、６２、６３、６４が重なり合うため、重なり合った４つの切り込み片６１、６２、６３、６４を、重ねた状態のまま上側へ略直角に折り曲げる（図９（ｆ）参照）。これにより、下側フラップ部５４ｂ、５４ｃ、５４ｄが係止されるため、折り曲げ線７１及び７２での折り曲げが元の状態に戻ることを防止することができる。
【００６５】
以上の構成の箱体においては、図７乃至図９に示す手順で折り畳みを行うことにより、側板部５２ｂ及び下側フラップ部５４ｂの合計程度の面積を有する略板状に箱体を折り畳むことができるため、ユーザが箱体の廃棄を行いやすいという利点がある。箱体を折り畳んだ場合に、本体部５１の上側は、上側フラップ部５３ｄを重なり合う側板部５２ｂ及び５２ａの間に挿入して折り畳みを保持することができ、本体部５１の下側は、下側フラップ部５４ｂ、５４ｃ、５４ｄに形成された切りこみ片６１、６２、６３、６４を折り曲げて係止する事で折り畳みを保持することができるため、箱体の廃棄をより行いやすい。また、本体部５１の軸長方向に関して、側板部５２ａ、５２ｂ、５２ｃ、５２ｄの幅が、上側フラップ部５３ａ、５３ｂ、５３ｃ、５３ｄの幅及び下側フラップ部５４ａ、５４ｂ、５４ｃ、５４ｄの幅より小さい場合であっても、箱体を折り畳むことができる。
【００６６】
なお、本実施の形態においては、下側フラップ部５４ａには切り込み片を形成しない構成を示したが、これに限るものではなく、下側フラップ部５４ａの折り曲げ線７１を間にして２つの切り込み片を形成し、下側フラップ部５４ｂ及び５４ｄの対応する位置に更に切り込み片を形成する構成としてもよい。この場合、本体部５１の下側をより強固に係止できるため、箱体の折り畳み状態を確実に保持できる。また、切り込み片６１、６２、６３、６４を下側フラップ部５４ａ、５４ｂ、５４ｃ、５４ｄに形成する構成を示したが、これに限るものではなく、上側フラップ部５３ａ、５３ｂ、５３ｃ、５３ｄに形成してもよい。この場合、箱体の折り畳みは、箱体の上下を逆にして、図７乃至図９に示す手順で折り畳めばよい。また、実施の形態１の変形例と同様に、切り込み片６１、６２、６３、６４に貫通孔を形成してもよい。
【００６７】
なお、実施の形態２に係る箱体のその他の構成は、実施の形態１に係る箱体の構成と同様であるため、対応する箇所には同じ符号を付して詳細な説明を省略する。
【００６８】
（実施の形態３）
図１０は、本発明の実施の形態３に係る箱体の構成を示す展開図である。実施の形態３に係る箱体の形状は、実施の形態２に係る箱体の形状とほぼ同じであり、実施の形態３に係る箱体の本体部１０１は、箱体を展開した状態で略長方形をなす。本体部１０１は、本体部１０１の短辺と略平行に形成された３つの折り曲げ線２１ｂ、２１ｃ、２１ｄにより、側板部１０２ａ、１０２ｂ、１０２ｃ、１０２ｄをなす４つの面に分けられている。側板部１０２ａ、１０２ｂ、１０２ｃ、１０２ｄは、折り曲げ線２１ｂ、２１ｃ、２１ｄ側が短辺側の略長方形であり、側板部１０２ａ及び１０２ｃの長辺の長さは、側板部１０２ｂ及び１０２ｄの長辺の長さより長い。また、本体部１０１の側板部１０２ａ側の短辺には、略台形の接続片６が延設されており、側板部１０２ａ及び接続片６の境界に折り曲げ線２１ａが形成されている。折り曲げ線２１ａ、２１ｂ、２１ｃ、２１ｄにて本体部１０１を同方向へ折り曲げ、接続片６を本体部１０１の側板部１０２ｄ側の短辺部分に接着剤又は金具等を用いて接続することにより、本体部１０１が四角筒状をなす。
【００６９】
側板部１０２ａ、１０２ｂ、１０２ｃ、１０２ｄの両長辺には、それぞれ上側フラップ部１０３ａ、１０３ｂ、１０３ｃ、１０３ｄ及び下側フラップ部１０４ａ、１０４ｂ、１０４ｃ、１０４ｄが延設されており、境界に折り曲げ線２２ａ、２２ｂ、２２ｃ、２２ｄ及び折り曲げ線２３ａ、２３ｂ、２３ｃ、２３ｄがそれぞれ形成されている。上側フラップ部１０３ａ、１０３ｂ、１０３ｃ、１０３ｄは、折り曲げ線２２ａ、２２ｂ、２２ｃ、２２ｄ側が長辺側の略長方形であり、下側フラップ部１０４ａ、１０４ｂ、１０４ｃ、１０４ｄは、折り曲げ線２３ａ、２３ｂ、２３ｃ、２３ｄ側が長辺側の略長方形である。また、上側フラップ部１０３ｂ及び１０３ｄは、短辺方向の略中央から外側へ幅が狭くなるようにしてある。
【００７０】
側板部１０２ａ、上側フラップ部１０３ａ及び下側フラップ部１０４ａの長辺方向の略中央には、本体部１０１の短辺方向、即ち箱体を組み立てた後、四角筒状をなす本体部１０１の軸心方向と略平行に折り曲げ線７１が形成されている。同様に、側板部１０２ｃ、上側フラップ部１０３ｃ及び下側フラップ部１０４ｃの長辺方向の略中央には、本体部１０１の短辺方向と略平行に折り曲げ線７２が形成されている。
【００７１】
また、上側フラップ部１０３ｂには、折り曲げ線２２ｂ、２３ｂと略平行に折り曲げ線１２１が形成されている。折り曲げ線１２１は、折り曲げ線２３ｂからの距離が、下側フラップ部１０４ｂの短辺の長さと略等しい位置に形成されている。同様にして、上側フラップ部１０３ｄには、折り曲げ線２２ｄ、２３ｄと略平行に折り曲げ線１２２が形成されている。折り曲げ線１２２は、折り曲げ線２３ｄからの距離が、下側フラップ部１０４ｄの短辺の長さと略等しい位置に形成されている。
【００７２】
また、上側フラップ部１０３ａの縁部分には、折り曲げ線７１を間にして対称の位置に、切り込み片１１１及び１１２が形成されている。切り込み片１１１、１１２は、上側フラップ部１０３ａの中央側から長辺側の縁部分へ向けて間隔が広がる末広がりとなるように２つの切込みを入れることで形成される台形状である。また、同様にして、上側フラップ部１０３ｃの縁部分には、折り曲げ線７２を間にして対称の位置に、切り込み片１１３及び１１４が形成されている。切り込み片１１３、１１４の形状は、切り込み片１１１、１１２の形状と略同一である。
【００７３】
図１１乃至図１４は、本発明の実施の形態３に係る箱体の折り畳み方法を示す斜視図であり、（ａ）から（ｈ）へ折り畳み方法を時系列で図示してある。箱体を例えば廃棄のために折り畳む場合、まず、箱体の上下を封止する封止テープを外す。次いで、上側フラップ部１０３ａ、１０３ｂ、１０３ｃ、１０３ｄ及び下側フラップ部１０４ａ、１０４ｂ、１０４ｃ、１０４ｄを、側板部１０２ａ、１０２ｂ、１０２ｃ、１０２ｄとそれぞれ同一平面をなすように伸ばし、箱体の上下を逆に、即ち下側フラップ部１０４ａ、１０４ｂ、１０４ｃ、１０４ｄを上にし、上側フラップ部１０３ａ、１０３ｂ、１０３ｃ、１０３ｄを下にした状態にしておく（図１１（ａ）参照）。
【００７４】
次いで、下側フラップ部１０４ａ、１０４ｂ、１０４ｃ、１０４ｄを本体部１０１の内側へ、側板部１０２ａ、１０２ｂ、１０２ｃ、１０２ｄの内面にそれぞれ接触するように、折り曲げ線２３ａ、２３ｂ、２３ｃ、２３ｄで折り曲げ（図１１（ｂ）参照）、箱体の上下を元の状態に、即ち上側フラップ部１０３ａ、１０３ｂ、１０３ｃ、１０３ｄを上にし、下側フラップ部１０４ａ、１０４ｂ、１０４ｃ、１０４ｄを下にした状態に戻す（図１２（ｃ）参照）。
【００７５】
次いで、上側フラップ部１０３ａ及び１０３ｃを本体部１０１の外側へ、側板部１０２ａ及び１０２ｃの外面にそれぞれ接触するように、折り曲げ線２２ａ及び２２ｃで折り曲げる。更に、上側フラップ部１０３ｂを本体部１０１の内側へ、折り曲げ線１２１で折り曲げて、本体部１０１内に折り曲げられている下側フラップ部１０４ｂの外面に接触させる（図１２（ｄ）参照）。
【００７６】
次いで、側板部１０２ａ、上側フラップ部１０３ａ及び下側フラップ部１０４ａを折り曲げ線７１に従って本体部１０１の内側方向へ折り曲げると共に、側板部１０２ｃ、上側フラップ部１０３ｃ及び下側フラップ部１０４ｃを折り曲げ線７２に従って本体部１０１の内側方向へ折り曲げる（図１３（ｅ）参照）。上側フラップ部１０３ａの折り曲げ線７１を間にした内面同士が接触するように、且つ、上側フラップ部１０３ｃの折り曲げ線７２を間にした内面同士が接触するように、側板部１０２ａ、上側フラップ部１０３ａ及び下側フラップ部１０４ａ、並びに側板部１０２ｃ、上側フラップ部１０３ｃ及び下側フラップ部１０４ｃを更に折り曲げる（図１３（ｆ）参照）。
【００７７】
次いで、上側フラップ部１０３ｄを、本体部１０１内に折り曲げられた上側フラップ部１０３ｂに接触するように、本体部１０１内に挿入する（図１４（ｇ）参照）。以上の（ａ）〜（ｇ）の手順で箱体を折り畳んだ場合、上側フラップ部１０３ａが折り曲げ線７１で折り曲げられるため、上側フラップ部１０３ａに形成された２つの切り込み片１１１及び１１２が重なり合った状態となる。同様にして、上側フラップ部１０３ｃに形成された２つの切り込み片１１３及び１１４が重なり合った状態となる。重なり合った切り込み片１１１及び１１２、並びに切り込み片１１３及び１１４を重ねた状態のまま上側へ略直角にそれぞれ折り曲げる（図１４（ｈ）参照）。これにより、上側フラップ部１０３ａ及び１０３ｃがそれぞれ係止されるため、折り曲げ線７１及び７２での折り曲げが元の状態に戻ることを防止することができる。
【００７８】
以上の構成の箱体においては、図１１乃至図１４に示す手順で折り畳みを行うことにより、上側フラップ部１つの面積より若干大きい程度の面積を有する略板状に箱体を折り畳むことができるため、ユーザが箱体の廃棄を行いやすいという利点がある。箱体を折り畳んだ場合に、本体部１０１の上側は、上側フラップ部１０３ｄを本体部１０１内に挿入して折り畳みを保持することができ、本体部１０１の下側は、上側フラップ部１０３ａに形成された切りこみ片１１１及び１１２、並びに上側フラップ部１０３ｃに形成された切りこみ片１１３及び１１４を折り曲げて係止する事で折り畳みを保持することができるため、箱体の廃棄をより行いやすい。また、本体部１０１の軸長方向に関して、側板部１０２ａ、１０２ｂ、１０２ｃ、１０２ｄの幅が、上側フラップ部１０３ａ、１０３ｂ、１０３ｃ、１０３ｄの幅及び下側フラップ部１０４ａ、１０４ｂ、１０４ｃ、１０４ｄの幅より小さい場合であっても、箱体を折り畳むことができる。
【００７９】
なお、本実施の形態においては、上側フラップ部１０３ａ及び１０３ｃの両方に、切り込み片１１１、１１２及び切り込み片１１３、１１４を形成する構成を示したが、これに限るものではなく、上側フラップ部１０３ａ又は１０３ｃのいずれか一方のみに形成する構成であってもよい。また、切り込み片１１１、１１２、１１３、１１４を上側フラップ部１０３ａ、１０３ｂ、１０３ｃ、１０３ｄに形成する構成を示したが、これに限るものではなく、下側フラップ部１０４ａ、１０４ｂ、１０４ｃ、１０４ｄに形成してもよい。この場合、箱体の折り畳みは、箱体の上下を逆にして、図１１乃至図１４に示す手順で折り畳めばよい。また、実施の形態１の変形例と同様に、切り込み片１１１、１１２、１１３、１１４に貫通孔を形成してもよい。
【００８０】
なお、実施の形態３に係る箱体のその他の構成は、実施の形態２に係る箱体の構成と同様であるため、対応する箇所には同じ符号を付して詳細な説明を省略する。
【図面の簡単な説明】
【００８１】
【図１】本発明に係る箱体の構成を示す斜視図である。
【図２】本発明の実施の形態１に係る箱体の構成を示す展開図である。
【図３】本発明の実施の形態１に係る箱体の折り畳み方法を示す斜視図である。
【図４】本発明の実施の形態１に係る箱体の折り畳み方法を示す斜視図である。
【図５】本発明の実施の形態１の変形例に係る箱体の構成を示す展開図である。
【図６】本発明の実施の形態２に係る箱体の構成を示す展開図である。
【図７】本発明の実施の形態２に係る箱体の折り畳み方法を示す斜視図である。
【図８】本発明の実施の形態２に係る箱体の折り畳み方法を示す斜視図である。
【図９】本発明の実施の形態２に係る箱体の折り畳み方法を示す斜視図である。
【図１０】本発明の実施の形態３に係る箱体の構成を示す展開図である。
【図１１】本発明の実施の形態３に係る箱体の折り畳み方法を示す斜視図である。
【図１２】本発明の実施の形態３に係る箱体の折り畳み方法を示す斜視図である。
【図１３】本発明の実施の形態３に係る箱体の折り畳み方法を示す斜視図である。
【図１４】本発明の実施の形態３に係る箱体の折り畳み方法を示す斜視図である。
【符号の説明】
【００８２】
１  本体部
２ａ、２ｂ、２ｃ、２ｄ  側板部
３ａ、３ｂ、３ｃ、３ｄ  上側フラップ部
４ａ、４ｂ、４ｃ、４ｄ  下側フラップ部
５ａ、５ｂ、５ｃ、５ｄ  切り込み片
７  貫通孔
１１、１２  封止テープ
５１  本体部
５２ａ、５２ｂ、５２ｃ、５２ｄ  側板部
５３ａ、５３ｂ、５３ｃ、５３ｄ  上側フラップ部
５４ａ、５４ｂ、５４ｃ、５４ｄ  下側フラップ部
６１、６２、６３、６４  切り込み片
７１、７２  折り曲げ線
１０１  本体部
１０２ａ、１０２ｂ、１０２ｃ、１０２ｄ  側板部
１０３ａ、１０３ｂ、１０３ｃ、１０３ｄ  上側フラップ部
１０４ａ、１０４ｂ、１０４ｃ、１０４ｄ  下側フラップ部
１１１、１１２、１１３、１１４  切り込み片
【図１】
0004657081.tif 000002
【図２】
0004657081.tif 000003
【図３】
0004657081.tif 000004
【図４】
0004657081.tif 000005
【図５】
0004657081.tif 000006
【図６】
0004657081.tif 000007
【図７】
0004657081.tif 000008
【図８】
0004657081.tif 000009
【図９】
0004657081.tif 000010
【図１０】
0004657081.tif 000011
【図１１】
0004657081.tif 000012
【図１２】
0004657081.tif 000013
【図１３】
0004657081.tif 000014
【図１４】
0004657081.tif 000015